(57)【要約】【課題】限られた容量のベース内部空間に効率良く錘を収納することを可能とする宅配ボックスのベースを提供する。【解決手段】宅配ボックスのベース２は、底側の錘載置部２４０、２５０、２６０、２７０と四周状の側壁２０〜２３からなる錘収納部２´と、対向する一対の側壁２０、２１の上端の幅方向両端間に架け渡すように延びる一対の上面部６とを備えており、宅配ボックス本体１を四周状の側壁２０〜２３の上面に載置し、宅配ボックス本体１の底面３３を一対の上面部６に固定するようになっており、一対の上面部６の一方あるいは両方は錘収納部２´とは別体で形成されており、錘収納部２´に対して取り外し可能である。【選択図】図２０
2019111248.tif 000002
【特許請求の範囲】
【請求項１】
宅配ボックスのベースは、底側の錘載置部と四周状の側壁からなる錘収納部と、対向する一対の側壁の上端の幅方向両端間に架け渡すように延びる一対の上面部とを備えており、宅配ボックス本体を前記四周状の側壁の上面に載置し、当該宅配ボックス本体の底面を前記一対の上面部に固定するようになっており、
前記一対の上面部の一方あるいは両方は前記錘収納部とは別体で形成されており、前記錘収納部に対して取り外し可能である、
宅配ボックスのベース。
【請求項２】
前記取り外し可能な上面部が前記錘収納部に設けられた状態では、前記錘収納部に対する上方への移動が規制されている、
請求項１に記載の宅配ボックスのベース。
【請求項３】
前記取り外し可能な上面部は前記一対の側壁の上端部位に対して着脱可能である、
請求項１、２いずれか１項に記載の宅配ボックスのベース。
【請求項４】
前記着脱可能な上面部は、平面視長方形状の板状体であり、長さ方向両端部は、前記対向する一対の側壁の上端部位に対して、上方への移動が規制された状態でスライド移動可能に装着されている、
請求項３に記載の宅配ボックスのベース。
【請求項５】
前記着脱可能な上面部は、水平方向に回動させることで錘収納部に対して着脱可能である、
請求項３、４いずれか１項に記載の宅配ボックスのベース。
【請求項６】
前記着脱可能な上面部の縁部と前記側壁の上面の縁部は隣接しており、前記隣接する縁部の一方には位置決め凸部が、他方には前記位置決め凸部が嵌る位置決め凹部が形成されている、
請求項３〜５いずれか１項に記載の宅配ボックスのベース。
【発明の詳細な説明】
【技術分野】
【０００１】
本発明は、宅配ボックスの本体が取り付けられるベースに関するものである。
【背景技術】
【０００２】
インターネット通販の普及や商品の再配達というコスト増に伴い、宅配ボックスの重要性が増している。宅配ボックスはマンション等の集合住宅に設置される場合と、戸建住宅に設置される場合があるが、宅配ボックスを戸建住宅に設置する場合には、屋外に設置される場合が多いと考えられることから、耐風性能や防犯性能が要求される。
【０００３】
宅配ボックスに耐風性能や防犯性能を付与する１つの手段として、宅配ボックスの下端に錘を設けることが考えられる。特許文献１には、底板部に錘としてのコンクリートブロックの挿入口を備えた荷物受取用ロッカーが開示されている。
【０００４】
ここで、宅配ボックスを屋外に設置する場合には、直置きせずに敷地内の所定位置に設置したベース（業界では巾木とも称される）上に取り付けることがあることから、宅配ボックス本体を取り付けるベース内の空間を利用して錘を収納することを考えた。
【０００５】
ベース内に錘を収納するためには、上方の開口から挿入することが考えられ、錘（特に、外形寸法が固定されたコンクリートブロック）の収納作業を考慮すると、ベース上方の開口面積が大きい方が望ましい一方、開口面積を大きくするためにはベースの外形が大きくなってしまうという不具合がある。宅配ボックスを戸建住宅に設置する場合には、限られた敷地に設置する必要があるため、ベースを含む宅配ボックスの外形がコンパクトであることも重要であり、限られた容量のベースを用いて如何に所定重量の錘を効率的に挿入するかが課題である。
【特許文献１】実開平5-7184号
【発明の開示】
【発明が解決しようとする課題】
【０００６】
本発明は、限られた容量のベース内部空間に効率良く錘を収納することを可能とする宅配ボックスのベースを提供することを目的とするものである。
【課題を解決するための手段】
【０００７】
本発明が採用した技術手段は、
宅配ボックスのベースは、底側の錘載置部と四周状の側壁からなる錘収納部と、対向する一対の側壁の上端の幅方向両端間に架け渡すように延びる一対の上面部とを備えており、宅配ボックス本体を前記四周状の側壁の上面に載置し、当該宅配ボックス本体の底面を前記一対の上面部に固定するようになっており、
前記一対の上面部の一方あるいは両方は前記錘収納部とは別体で形成されており、前記錘収納部に対して取り外し可能である、宅配ボックスのベース、である。
宅配ボックスのベースの錘収納部に錘を収納することで、宅配ボックスの耐風圧性能や防犯性能を確保することができる。
ベースの外形をよりコンパクトにするためには、両方の上面部が取り外し可能であることが望ましい（錘収納部の上方により大きな開口を確保できる）が、一方の上面部のみを錘収納部に対して取り外し可能としてもよい。この場合、他方の上面部は錘収納部と一体形成してもよく、側壁の上面から当該他方の上面部を形成してもよい。
典型的には、錘はコンクリートブロック（規格寸法を有している）である。
【０００８】
１つの態様では、前記取り外し可能な上面部が前記錘収納部に設けられた状態では、前記錘収納部に対する上方への移動が規制されている。
こうすることで、ベースから「宅配ボックス本体＋上面部」を持ち上げて取り外せないようになっている。
1つの態様では、前記取り外し可能な上面部の端部は、前記一対の側壁の上端部位に下方から当接可能な当接片を備えている。
また、上面部を螺子を用いて錘収納部の側壁の上面に着脱可能に連結し、宅配ボックス本体を上面部に固定した状態では、上面部を錘収納部に連結する螺子が隠れるようにしてもよい。
【０００９】
１つの態様では、前記取り外し可能な上面部は前記一対の側壁の上端部位に対して着脱可能である。
本発明における「取り外し可能な上面部」は、側壁の上端部に対して着脱可能なものに限定されるものではなく、例えば、錘収納部に対する上方への移動が規制された状態で、錘収納部に収納された錘（例えばコンクリートブロック）に載置されるものも含む（図２６、図２７参照）。
【００１０】
１つの態様では、前記着脱可能な上面部は、平面視長方形状の板状体であり、長さ方向両端部は、前記対向する一対の側壁の上端部位に対して、上方への移動が規制された状態でスライド移動可能に装着されている。
１つの態様では、前記着脱可能な上面部の長さ方向両端部は、前記一対の側壁の上端部位の上面に載置する上側片と、前記一対の側壁の上端部位に下方から当接可能な下側片と、を備えている。
１つの態様では、前記宅配ボックス本体の底面を前記一対の上面部に固定することで、前記着脱可能な上面部のスライド移動が規制される。
【００１１】
１つの態様では、前記着脱可能な上面部は、水平方向に回動させることで錘収納部に対して着脱可能である。
１つの態様では、前記着脱可能な上面部は、長さ方向両端部を前記一対の側壁の上端部位に対してスライドさせながら回動させることで着脱可能である。
【００１２】
１つの態様では、前記着脱可能な上面部の縁部と前記側壁の上面の縁部は隣接しており、前記隣接する縁部の一方には位置決め凸部が、他方には前記位置決め凸部が嵌る位置決め凹部が形成されている。
上面部と上面が位置決め凸部と凹部を介して嵌り合うことで、錘収納部に対する上面部の取付位置が決定される。
１つの態様では、前記錘収納部の上面は、宅配ボックス本体の位置決め手段を有しており、当該位置決め手段によって、錘収納部に対する宅配ボックス本体の取付位置が決定される。
１つの態様では、前記位置決め手段は、前記錘収納部の上面から立ち上がる位置決め片である。
１つの態様では、前記位置決め片の基端部位が、前記位置決め凸部あるいは前記位置決め凹部を兼用している。
【発明の効果】
【００１３】
本発明では、ベースの錘収納部の上方の上面部を、錘収納部から取り外すことで、錘収納部の上方の開口面積を大きくすることができ、限られた容量のベース内部空間に効率良く錘を収納することを可能とする。
例えば、標準寸法（例えば、390mm×190mm×H）を備えたコンクリートブロックを錘として採用したい場合に、錘収納部に対して上面部を取り外し可能とすることで、コンクリートブロックを可及的に緊密に収納できる内部容積を備えたベースで対応することができる。
【図面の簡単な説明】
【００１４】
【図１】本実施形態に係る宅配ボックスの正面図である。
【図２】本実施形態に係る宅配ボックスの背面図である。
【図３】本実施形態に係る宅配ボックスの一部切り欠き側面図である。
【図４】図３の部分拡大図である。
【図５】本実施形態に係る宅配ボックスの一部切り欠き部分平面図である。
【図６】左図は本実施形態に係る第１扉体の側面図であり、右図は第２扉体の縦断面図である。
【図７】本実施形態に係る第１扉体の底面図である。
【図８】本実施形態に係る第１扉体の裏面図である。
【図９】本実施形態に係る宅配ボックス本体の収納部の正面図である。
【図１０】本実施形態に係る宅配ボックス本体の収納部の平面図である。
【図１１】本実施形態に係る宅配ボックス本体の収納部の縦断面図である。
【図１２】本実施形態に係る宅配ボックスのベース（上面部を装着した状態）の正面図である。
【図１３】本実施形態に係る宅配ボックスのベース（上面部を装着した状態）の側面図である。
【図１４】本実施形態に係る宅配ボックスのベース（上面部を装着した状態）の平面図である。
【図１５】本実施形態に係る宅配ボックスのベース（上面部を取り外した状態）の正面図である。
【図１６】本実施形態に係る宅配ボックスのベース（上面部を取り外した状態）の側面図である。
【図１７】本実施形態に係る宅配ボックスのベース（上面部を取り外した状態）の平面図である。
【図１８】上面部を示す図である。
【図１９】ベースの錘収納部へのコンクリートブロックの収納を説明する図である。
【図２０】錘収納部（コンクリートブロックは省略）に対する上面部の取付を説明する図である。
【図２１】ベースに対する宅配ボックス本体の取付を説明する図である。
【図２２】本実施形態に係る水抜き孔の作用を説明する図である。
【図２３】他の実施形態に係る水抜き孔の作用を説明する図である。
【図２４】図２３に示す水抜き孔の構成を説明する図である。
【図２５】さらに他の実施形態に係る水抜き孔の作用を説明する図である。
【図２６】上図は、他の実施形態に係る上面部を備えたベースの斜視図であり、下図は、他の実施形態に係る上面部の取付状態を示す図である。
【図２７】他の実施形態に係る上面部のベースへの取付を説明する図である。
【発明を実施するための形態】
【００１５】
図１は宅配ボックスの正面図、図２は宅配ボックスの背面図、図３は宅配ボックスの一部切り欠き側面図である。本実施形態に係る宅配ボックスは、戸建住宅用宅配ボックスであり、設置態様としては、全体が屋外側に位置する場合（例えば、ブロック塀を挟んで前側が敷地外、後側が敷地内の場合を含む）、前面側が屋外側に位置し、後面側が屋内側に位置する場合が想定され得る。宅配ボックスは、宅配ボックス本体１と、宅配ボックス本体１を載置して固定するベース２とからなる。
【００１６】
宅配ボックス本体１は、上面３０と、左右の第１側面３１、第２側面３２と、底面３３とを備え、前面及び後面が開口状の収納部３（図９〜図１１参照）と、収納部３の前面を開閉する前側の第１扉体４（図６〜図８参照）と、収納部３の後面を開閉する後側の第２扉体５（図２、図３参照）とからなる。本実施形態に係る宅配ボックスは、いわゆる「前入後出タイプ」であり、第１扉体４によって開閉される前側の開口部が投入口であり、第２扉体５によって開閉される後側の開口が取出口となっている。なお、第１扉体４を開放させて前側の開口部から荷物を取り出してもよい。本発明は、「前入後出タイプ」に限定されるものではなく、いわゆる「前入前出タイプ」でもよく、この場合は、宅配ボックス本体１は第１扉体４のみを備えていればよい。１つの態様では、後側は扉体に類似した形状の別体（図示せず）を用意し、別体は収納部３の後面に固定手段によって固定される。好ましくは、収納部３の後面と別体の内面との間には四周状にシーリング材を設けることで、気密ないし水密構造が形成されている。
【００１７】
図９〜図１１を参照しつつ、収納部３の構成について説明する。収納部３の前面は、前側の開口部を囲む四周状の第１見付面（３００、３１０、３２０、３３２）からなり（図９）、後面は、後側の開口部を囲む四周状の第２見付面（３０１、３１２、３１３、３３６）からなる（図１０、図１１）。
【００１８】
収納部３の上面３０は、平面視方形状の水平面であり、上面３０の前側端縁から垂下する上側見付面３００が、第１見付面の上側部位を形成し、上面３０の後側端縁から垂下する上側見付面３０１が、第２見付面の上側部位を形成している。
【００１９】
図１１に示すように、収納部３の第１見付面において、上側見付面３００の下端から前方に水平状に延びる下片３０２と、垂直状に延びる立ち上がり片３０３が形成されており、第１扉体４の幅方向に延びる溝部を形成している。収納部３の第２見付面において、上側見付面３０１の下端から前方に水平状に延びる下片３０４と、垂直状に延びる立ち上がり片３０５が形成されており、第２扉体５の幅方向に延びる溝部を形成している。
【００２０】
収納部３の第１側面３１は側面視方形状の垂直面であり、第１側面３１の前側端縁から開口部側に延びる戸先側見付面３１０が第１見付面の戸先側の側方部位を形成し、第１側面３１の後側端縁から開口部側に延びる戸尻側見付面３１２が第２見付面の戸尻側の側方部位を形成している。
【００２１】
収納部３の第２側面３２は側面視方形状の垂直面であり、第２側面３２の前側端縁から開口部側に延びる戸尻側見付面３２０が、第１見付面の戸尻側の側方部位を形成し、第２側面３２の後側端縁から開口部側に延びる戸先側見付面３１３が第２見付面の戸先側の側方部位を形成している。
【００２２】
収納部３の前側部位において、戸先側見付面３１０の開口部側の縦縁から前方に垂直状に突出する側片３１１が形成されており、戸尻側見付面３２０の開口部側の縦縁から前方に垂直状に突出する側片３２１が形成されている。側片３１１の上端は下片３０２の一方の端縁と当接（連結されてもよい）されており、側片３２１の上端は下片３０２の他方の端縁と当接（連結されてもよい）されており、上側の下片３０２及び立ち上がり片３０３と左右の側片３１１、３２１から、第１見付面から前方に突成された三方の縁部が形成されている。左右の側片３１１、３２１の下端は、収納部３の第１前側水平面３３１と略同じ高さにあり、収納部３の底面３３よりも下方に位置している（図１１参照）。
【００２３】
図１０に示すように、収納部３の後側部位において、戸先側見付面３１３の開口部側の縦縁から後方に垂直状に突出する側片３１４が形成されており、戸尻側見付面３１２の開口部側の縦縁から後方に垂直状に突出する側片３１５（図１１）が形成されている。側片３１４の上端は下片３０４の一方の端縁と当接（連結されてもよい）されており、側片３１５の上端は下片３０４の他方の端縁と当接（連結されてもよい）されており、上側の下片３０４及び立ち上がり片３０５と左右の側片３１４、３１５から、第２見付面から後方に突成された三方の縁部が形成されている。左右の側片３１４、３１５の下端は、収納部３の第１後側水平面３３５と略同じ高さにあり、収納部３の底面３３よりも下方に位置している（図１１参照）。
【００２４】
第１見付面の戸尻側見付面３２０、第２見付面の戸尻側見付面３１２には上下に位置してヒンジベースＨ２が設けてある。収納部３の内部空間において、第１側面３１の内面３１´と第２側面３２の内面間の寸法は、前側部位、後側部位において小さくなっている。すなわち、収納部３の内部空間の幅寸法は、前側部位、後側部位の開口部において若干狭まっている。第１側面３１の内面３１´の前側部位には、ストライク３４が設けてあり、内面３１´の前側部位の上方部位の後側には人感センサによって点灯する人感センサーライト３５が設けてある（図３参照）。
【００２５】
収納部３の底面３３には、底面３３とベース２の上面部６を連結する螺子９の挿通孔９０が形成されている（図２１参照）。図１１に示すように、収納部３の水平状の底面３３の前側部位には第１前側垂直面３３０、第１前側水平面３３１、第２前側垂直面３３２、第２前側水平面３３３が形成されており、後側部位には第１後側垂直面３３４、第１後側水平面３３５、第２後側垂直面３３６、第２後側水平面３３７が形成されている。底面３３の前側部位は、第１前側垂直面３３０と第１前側水平面３３１から段部状となっており、第２前側垂直面３３２が第１見付面の下側見付面を形成している。底面３３の後側部位は、第１後側垂直面３３４と第１後側水平面３３５から段部状となっており、第２後側垂直面３３６が第２見付面の下側見付面を形成している。第１見付面、第２見付面の下側見付面（第２前側垂直面３３２、第２後側垂直面３３６）には、幅方向に亘ってシーリング材Ｓ４がそれぞれ設けてある（図９、図１１参照）。
【００２６】
底面３３の幅方向両端部には、前後方向に延びる長尺状の枠材３８が設けてあり、宅配ボックス本体１は、第２前側水平面３３３、第２後側水平面３３７、左右の枠材３８の下面からなる四周状の下端面３３´がベース２の四周壁（２０、２１、２２、２３）の上面（２００、２１０、２２０、２３０）に載置されるようになっている。本実施形態では、収納部３の底面３３は、宅配ボックス本体１の下端面３３´よりも上側に位置している。なお、本発明に係る宅配ボックス本体１の下端の構成はこれには限定されず、例えば、収納部３の底面３３と宅配ボックス本体１の下端面が略同じ高さに位置していてもよい。
【００２７】
図６〜図８を参照しつつ、第１扉体４の構成について説明する。第１扉体４は、正面視縦長方形状の開き戸であって、見付面４０と、上面４１、戸先側見込面４２、戸尻側見込面４３、下面４４を備えている。第１扉体４は、裏面側において、上方周縁部４Ａ、戸先側の第１側方周縁部４Ｂ、戸尻側の第２側方周縁部４Ｃ、下方周縁部４Ｄからなる四周状の周縁部を備えており、周縁部は、見付面４０を形成する面部の裏面４０´に対して裏面側に凸成されている。四周状の周縁部（４Ａ、４Ｂ、４Ｃ、４Ｄ）は、第１扉体４の四周状の裏面側見付面（４１０、４２０、４３０、４４０）を形成している。
【００２８】
上方周縁部４Ａは、上面４１と、上面４１の後端から垂下する上側面４１０とからなり、上側面４１０が四周状の裏面側見付面の上側部位を形成している（図４参照）。
【００２９】
第１側方周縁部４Ｂは、戸先側見込面４２と、戸先側見込面４２の後端から戸尻側に向かって延びる第１側面４２０とからなり、第１側面４２０が四周状の裏面側見付面の戸先側の側方部位を形成している。本実施形態では、第１側方周縁部４Ｂは、さらに、第１側面４２０の戸先側の端部から見付面４０の面部の裏面４０´に向かって見込方向に延びる見込片４２１を備えている（図５参照）。第１側面４２０には、上方部位及び下方部位に位置して戸当たり部４２００が設けてある。
【００３０】
第２側方周縁部４Ｃは、戸尻側見込面４３と、戸尻側見込面４３の後端から戸先側に向かって延びる第２側面４３０とからなり、第２側面４３０が四周状の裏面側見付面の戸尻側の側方部位を形成している。戸尻側の第２側面４３０は高さ方向の上方部位、下方部位において切り欠かれており、当該切欠部を跨ぐようにヒンジ軸Ｈ１が設けられ、ヒンジ軸Ｈ１は、切欠部に受け入れられた収納部３のヒンジベースＨ２に対して回転可能に支持される。本実施形態では、第２側方周縁部４Ｃは、さらに、第２側面４３０の戸尻側の端部から見付面４０の面部の裏面４０´に向かって見込方向に延びる見込片４３１（本実施形態では、高さ方向に部分的に設けてある）を備えている（図５参照）。
【００３１】
下方周縁部４Ｄは、下面４４と、下面４４の後端から立ち上がる下側面４４０と、からなり、下側面４４０が四周状の裏面側見付面の下側部位を形成している（図４参照）。また、第１扉体４の下方周縁部４Ｄの戸先側には傾斜状の当接ガイド片４４１が設けてあり、第１扉体４の戸先側が若干下がった場合であっても、当接ガイド片４４１が収納部３の前側の第１前側水平面３３１と第２前側垂直面３３２の角部に接触することで、第１扉体４のスムーズな開閉動作を可能とする。
【００３２】
第１扉体４は、見付面を形成する面部の裏面４０´において、高さ方向に亘って中空状の框部４５、４６を備えている。框部４５は裏面４０´の幅方向中央よりも戸先側に寄った位置に設けてあり、框部４６は裏面４０´の戸尻側に近い部位に設けてある。框部４５、４６の中空部の上端は、裏面４０´に設けた上側シーリング材Ｓ１の直ぐ下まで延びており、中空部の下端は、第１扉体４の下面４４に達するまで延びている。
【００３３】
第１扉体４の戸先側部位には開閉操作部４７が設けてある。第１扉体４の見付面４０の戸先側に近い部位には、開閉レバー４７０、鍵孔４７１が設けてあり、開閉レバー４７０のスライドに連動してラッチ４７２が突出ないし退避するようになっている。第１扉体４の裏面４０´には、框部４５と戸先側端部との間に位置して、回動施錠レバー４７３が設けてある。回動施錠レバー４７３を施錠位置に回動させることで、開閉レバー４７０の開放方向のスライドを規制して施錠することができる。回動施錠レバー４７３は、開閉操作部４７の鍵孔４７１に鍵を挿入した回動操作によって回動可能である。第１扉体４の裏面側において、框４６の上方部位には、捺印装置４８が設けてある。第１扉体４の戸先側の上方部位には、人感センサーライト３５の点灯を確認可能な窓部４９が設けてある。
【００３４】
第１扉体４の裏面４０´には、上側面４１０の下側に位置して上側シーリング材Ｓ１が幅方向に亘って設けてあり、第１側面４２０の内側に位置して第１側方シーリング材Ｓ２が高さ方向に亘って設けてあり、第２側面４３０の内側に位置して第２側方シーリング材Ｓ３が高さ方向に亘って設けてあり、上側シーリング材Ｓ１の幅方向一端は第１側方シーリング材Ｓ２の上端と当接しており、上側シーリング材Ｓ１の幅方向他端は第２側方シーリング材Ｓ３の上端と当接しており、第１扉体４の裏面において、上方及び左右の側方に亘って三方のシーリング材が連続状に設けてある。
【００３５】
第１扉体４が全閉姿勢にある時には、第１扉体４の上側部位において、第１扉体４の上側面４１０が収納部３の上側見付面３００に近接対向しており、第１扉体４の上面４１及び上側面４１０の下方に位置して、収納部３の第１見付面に突成された溝部（上側見付面３００の下方部位、下片３０２、立ち上がり片３０３）が位置しており、第１扉体４の見付面４０の裏面に設けた上側シーリング材Ｓ１が収納部３の立ち上がり片３０３に密着している（図４参照）。また、上側の戸当たり部４２００が収納部３の上側見付面３００に当接している。
【００３６】
第１扉体４の側方において、第１扉体４の戸先側の第１側方周縁部４Ｂの内側には、収納部３の側片３１１が位置しており、第１扉体４の戸尻側の第２側方周縁部４Ｃの内側には、収納部３の側片３２１が位置しており、第１扉体４の裏面４０´に設けた側方シーリング材Ｓ２、Ｓ３が収納部３の側片３１１、３２１に密着している（図５参照）。
【００３７】
第１扉体４の下側部位において、第１扉体４の下側面４４０と収納部３の第２前側垂直面３３２は離間対向しており、第２前側垂直面３３２に設けた下側シーリング材Ｓ４が第１扉体４の下側面４４０に密着している（図４参照）。第１扉体４の全閉姿勢時において、収納部３の底面３３の前端には立ち上がり状の第１前側垂直面３３０が形成されており、底面３３は収納部３の第２前側垂直面（下側見付面）３３２、第１扉体４の立ち上がり状の下側面４４０よりも高い位置にある。
【００３８】
第１扉体４が全閉姿勢にある時には、第１扉体４の裏面４０´に設けた上側シーリング材Ｓ１、第１側方シーリング材Ｓ２、第２側方シーリング材Ｓ３と、収納部３の第２前側垂直面３３２に設けた下側シーリング材Ｓ４とから四周状に連続するシーリング材（Ｓ１、Ｓ２、Ｓ３、Ｓ４）が形成される。
【００３９】
第１扉体４が全閉姿勢にある時には、第１扉体４の裏面側の四周状の周縁部（４Ａ、４Ｂ、４Ｃ、４Ｄ）の四周状の裏面側見付面（４１０、４２０、４３０、４４０）と収納部３の四周状の第１見付面（３００、３１０、３２０、３３２）が、近接しており（部分的に当接している）、第１扉体４の裏面側の上方部位及び側方部位と収納部３の第１見付面（３００、３１０、３２０）との間には水が浸入し得る隙間が存在する（図４、図５参照）。
【００４０】
本実施形態では、収納部３の第１見付面の上側見付面３００には、前側の開口部の上側に位置して下片３０２と立ち上がり片３０３からなる溝部が形成され、第１見付面の戸先側見付面３１０、戸尻側見付面３２０には、前側の開口部の幅方向両側に位置して、前記溝部の下面である下片３０２の幅方向両端部から下方に延びる側片３１１、３２１が形成されており、第１見付面には、前側の開口部の外周に位置して、上側の下片３０２及び立ち上がり片３０３と左右の側片３１１、３２１から、三方に連続する縁部が突成されており、第１扉体４の全閉姿勢時に、前記縁部によって開口部側への水の浸入が規制される。
【００４１】
さらに、本実施形態では、第１扉体４の裏面側見付面（４１０、４２０、４３０）には、三方に亘ってシーリング材Ｓ１、Ｓ２、Ｓ３が設けてあり、第１扉体４の全閉姿勢時に、前記三方の縁部と前記前側の開口部との間に位置して、三方のシーリング材Ｓ１、Ｓ２、Ｓ３が、収納部３の第１見付面の部分（３０３、３１１、３２１）に密着するようになっている。また、収納部３の第１見付面の下側見付面（３３２）には、下側シーリング材Ｓ４が設けてあり、第１扉体４の全閉姿勢時に、第１扉体４の裏面側見付面の下側面４４０と下側シーリング材Ｓ４が密着するようになっており、四周状に亘ってシーリング材Ｓ１、Ｓ２、Ｓ３、Ｓ４からなる気密ないし水密構造が得られる。
【００４２】
第１扉体４の全閉姿勢時に、収納部３の前側の開口部の上方及び左右の側方の三方において、第１扉体４の裏面側に浸入した水の開口部側への浸入が規制されており、第１扉体４の裏面側に浸入した水は第１扉体４の裏面の幅方向端部に沿って第１扉体４の下端へ誘導される。より具体的には、第１扉体４の裏面の上側の隙間から浸入した水は、上側の隙間の下方に位置して第１扉体４の幅方向に延びる溝部（上側見付面３００の下方部位、下片３０２、立ち上がり片３０３からなる）によってさらなる下方への浸入が規制され、溝部の幅方向端部から側片３１１、３２１に沿って第１扉体４の下端へ誘導され得る。同様に、第１扉体４の裏面の側方の隙間から浸入した水は、側片３１１、３２１に沿って第１扉体４の下端へ誘導され得る。このような水の流れを図２２、図２３、図２５に示す。本実施形態では、溝部の下面である下片３０２は水平面であるが、一部あるいは全体を傾斜面（例えば、中央部位から両端に向かう下向の傾斜面、あるいは、全体として一端から他端に向かう傾斜面）としてもよい。
【００４３】
図２２に示すように、第１扉体４の戸先側見込面４２及び戸尻側見込面４３の下端には、第１扉体４の下端へ誘導された水を外部へ排出する水抜き孔７が設けてある。水抜き孔７は、第１扉体４の裏面側の下端部位の空間（三方の縁部の外側に位置する空間）と外部空間とを連通しており、第１扉体４の裏面側の下端に誘導された水を水抜き孔７から外部に排出するようになっている。
【００４４】
水抜き孔７の下端は、第１扉体４の下面４４と一致しており、第１扉体４の下端まで誘導された水が下面４４に残留することを可及的に防止している（なお、下面４４の端部を水抜き孔７に向かって下向き傾斜状としてもよい）。水抜き孔７の下端が、第１扉体４の下面４４と一致しており、水抜き孔７の上端が、立ち上がり片からなる下側面４４０の上端よりも低い位置にあることで、当該水抜き孔７を通した吹込みによる開口部内部への水の飛散を可及的に防止する。水抜き孔７は、第１扉体４の戸先側見込面４２及び戸尻側見込面４３の下端に形成されているので、宅配ボックスの正面に露出することがなく、水抜き孔７が美観を損ねることがない。
【００４５】
図２３、図２４に示す他の実施形態では、水抜き孔７は、第１扉体４の裏面の幅方向両方の下端に形成されている。より具体的には、水抜き孔７は、第１扉体４の四周状の裏面側見付面の第１側面４２０の下端、第２側面４３０の下端に形成されている。水抜き孔７の下端は、第１扉体４の下面４４と一致しており、第１扉体４の下端まで誘導された水が下面４４に残留することを可及的に防止している。水抜き孔７の下端が、第１扉体４の下面４４と一致しており、水抜き孔７の上端が、立ち上がり片からなる下側面４４０の上端、収納部３の第１前側水平面３３１よりも低い位置にあることで、当該水抜き孔７を通した吹込みによる開口部内部への水の飛散を可及的に防止する。また、第１扉体４の閉鎖姿勢において、水抜き孔７は、収納部３の戸先側見付面３１０、戸尻側見付面３２０の下端部位に近接対向しているため、水抜き孔７を通した吹込みによる開口部内部への水の飛散を可及的に防止する。水抜き孔７は、第１扉体４の四周状の裏面側見付面の第１側面４２０の下端、第２側面４３０の下端に形成されているので、宅配ボックスの正面に露出することがなく、水抜き孔７が美観を損ねることがない。図２３に示す実施形態の変形例として、水抜き孔を下面４４の後端から立ち上がる下側面４４０の幅方向の任意の位置に形成してもよい。この場合、水抜き孔に代えて、下側面４４０の上縁を含んで切り欠かれた開口を設けてもよい。
【００４６】
図２５に示す他の実施形態では、中空状の框部４５、４６の下端は下面４４に達していると共に、框部４５、４６の下端と下面４４との間には、第１扉体４の裏面側の幅方向両端部から下面４４に誘導された水が、框部４５、４６の中空部の下端に位置する部位まで誘導可能な隙間を備えている（框部４５、４６の下端は部分的に下面４４に当接ないし連結されており、框部４５、４６の下端と下面４４には隙間が形成されている）。あるいは、中空状の框部４５、４６の下端は下面４４に近接しており、框部４５、４６の下端と下面４４との間には、第１扉体４の裏面側の幅方向両端部から下面４４に誘導された水が、框部４５、４６の中空部の下端に位置する部位まで誘導可能な隙間を備えている。水抜き孔７は、下面４４において、框部４５、４６の中空部の直下に位置する部位に形成されている。
【００４７】
框部４５、４６には、所定高さに位置して、水抜き孔７から吹き込んだ空気を排出する排出孔８が形成されている。第１扉体４の下端まで誘導された水は下面４４に形成された水抜き孔７から外部に排出される。水抜き孔７は、框部４５、４６の中空部に連通されているので、水抜き孔７を通した吹込みによる空気は、框部４５、４６に形成された排出孔８から外部に排出される一方（図２５に空気流を示す）、框４５、４６によって収納部３の内部への水の飛散が可及的に防止される。より具体的には、第１扉体４の下面４４に形成された水抜き孔７の直上に框部４５、４６の中空部の下端が位置しているので、吹き上げによる水の飛散は框部４５、４６の下端部位によって可及的に防止される。水抜き孔７は、第１扉体４の下面４４に形成されているので、宅配ボックスの正面に露出することがなく、水抜き孔７が美観を損ねることがない。
【００４８】
図２に示すように、第２扉体５は、正面視縦長方形状の開き戸であって、見付面５０と、上面５１、戸先側見込面５２、戸尻側見込面５３、下面５４を備えている。見付面５０の戸先側部位には、開閉可能な錠前カバー５５が設けてあり、錠前カバー５５を開放すると鍵孔（図示せず）が露出するようになっている。なお、第２扉体５の施錠機構は、収納部３の内部からの操作では解錠できないようになっている。第２扉体５の形状については、第１扉体４の説明を援用することができる。本実施形態では、第２扉体５の戸先側見込面５２及び戸尻側見込面５３の下端にも、第２扉体５の下端へ誘導された水を外部へ排出する水抜き孔７が設けてある（図３参照）。
【００４９】
図１２〜図１８を参照しつつ、ベース２の構成について説明する。図１２〜図１４は上面部６が装着された状態を示し、図１５〜図１７は上面部６が取り外された状態を示し、図１８はベース２と別体で用意された上面部６を示す。
【００５０】
ベース２は、平面視方形状の箱状体であり、四周状の側壁２０、２１、２２、２３と底側の錘載置部（２４０、２５０、２６０、２７０）からなる錘収納部２´を備えている。本実施形態では、対向する側壁２０、２１がベース２の側面を形成し、対向する側壁２２、２３において側壁２２が前面、側壁２３が後面を形成している。ベース２は、さらに、対向する一対の側壁２０、２１の上端の幅方向両端間に架け渡すように延びる一対の上面部６を備えている。上面部６は、ベース２に対して着脱可能となっている。
【００５１】
ベース２の錘収納部２´の底側は、四周状に形成した細幅の帯状の底面２４、２５、２６、２７を備え、底面２４、２５、２６、２７には、立ち上がり片２４０、２５０、２６０、２７０がそれぞれ形成されており、立ち上がり片２４０、２５０、２６０、２７０が錘載置部を構成している（図１７参照）。底面２４、２５、２６、２７の幅寸法は、側壁２０の上面２００、２１０、２２０、２３０の幅寸法よりも大きい。ベース２の錘収納部２´の下面の四隅に位置して脚部２８が設けてあり、ベース２は脚部２８を介して設置される。なお、錘収納部２´を床面にアンカー止めしてもよい。
【００５２】
側壁２０の上端部位は、水平状の上面２００と、上面２００から垂下する被当接片２０１を備えている。側壁２１の上端部位は、水平状の上面２１０と、上面２１０から垂下する被当接片２１１を備えている。
【００５３】
側壁２２の上端部位は、水平状の上面２２０と、上面２２０の前縁から幅方向両端縁２２２、２２２を残して垂直に立ち上がる位置決め片２２１を備えている。側壁２２の上面２２０の内側（開口側）の縁部は、位置決め片２２１と両側の端縁２２２、２２２から平面視凸状に形成されている。側壁２３の上端部位は、水平状の上面２３０と、上面２３０の前縁から幅方向両端縁２３２、２３２を残して垂直に立ち上がる位置決め片２３１を備えている。側壁２３の上面２３０の内側（開口側）の縁部は、位置決め片２３１と両側の端縁２３２、２３２から平面視凸状に形成されている。本実施形態では、立ち上がり状の位置決め片２２１、２３１の下端部位が平面視凸部を形成しているが、錘収納部２´に対する上面部６の位置決め手段としては、位置決め片２２１、２３１の垂直部分（ベース２に対する宅配ボックス本体１の位置決めとして機能する）は無くてもよい。
【００５４】
本実施形態において、錘はコンクリートブロックＣであり、ベース２の錘収納部２´には２つのコンクリートブロックＣが収納される。コンクリートブロックＣは、短手方向の横幅寸法、長手方向の縦幅寸法、高さ寸法を備えた直方体であり、所定の標準寸法を備えている。ベース２の錘収納部２´の内部空間の寸法において、側壁２０と２１の内面間の寸法は、コンクリートブロックＣの横幅寸法の２つ分の寸法よりも少し大きい寸法を備え、側壁２２、２３の内面間の寸法は、コンクリートブロックＣの縦幅寸法よりも少し大きい寸法を備えている（図１７参照）。四周状の側壁２０、２１、２２、２３の上端の方形状の開口が錘としてのコンクリートブロックＣを挿入する開口となっており、コンクリートブロックＣの挿入が簡単にできるものでありながら（上面部６を取り外した状態とすることで）、ベース２の全体寸法を可及的に小さくコンパクトにすることができる（図１９参照）。本実施形態では、ベース２の側壁（前面）２２、側壁（後面）２３の幅寸法は、コンクリートブロックＣの縦幅寸法を同寸法となっている。本実施形態では、宅配ボックス本体１の幅寸法がベース２の側壁（前面）２２、側壁（後面）２３の幅寸法と一致しており、宅配ボックス本体１の幅寸法がコンクリートブロックＣの縦幅寸法と同寸法となっている。こうすることで、複数のコンクリートブロックから形成された壁体の凹部（コンクリートブロックＣの縦幅寸法の幅を備える）に宅配ボックス本体１をぴったり収納させることができる。
【００５５】
上面部６は、平面視方形状の板状部材であり、上面６０は、長さ方向両端の短辺６００、６００と、長さ方向に延びる第１長辺６０１、第２長辺６０２を備えている。上面部６は、さらに、上面６０の第１長辺６０１から垂下する第１側片６１と、上面６０の第２長辺６０２から垂下する第２側片６２と、第１側片６１の下端から第２側片６２に向かって水平に延びる第１水平片６３と、第２側片６２の下端から第１側片６１に向かって水平に延びる第２水平片６４とを備えている。本実施形態において、上面６０の第２長辺６０２は、長辺６０２´と、長さ方向両端側の短辺６０３と、長辺６０２´と短辺６０３を接続する端縁６０４、６０４とから平面視凹状に形成されている（図１８）。上面部６の上面６０の平面視凹状の縁部が、側壁２２、２３の上面２２０、２３０の平面視凸状の縁部に嵌ることで、錘収納部２´に対する上面部６の位置決めが行われる。上面部６の上面６０には、長さ方向両端部側で第１長辺６０１に寄った部位に２つの螺子孔９１が形成されている。
【００５６】
第１側片６１の長さ方向両端部には、上面６０を残して、切り欠き凹部が形成されており、下側片６１０が形成されている。第２側片６２の長さ方向両端部には、上面６０を残して、切り欠き凹部が形成されており、下側片６２０が形成されている。図示の態様では、第２側片６２の切り欠き凹部の深さが第１側片６１の切り欠き凹部の深さよりも大きくなっているが、これには限定されない。
【００５７】
上面部６は、長さ方向両端部の切り欠き凹部を介して、側壁２０、２１の上端部位に対して着脱可能かつスライド移動可能に装着される。より具体的には、上面部６の長さ方向両端部は、上側片（上面６０）と下側片（下側片６１０、６２０）とを備え、上側片（上面６０）は、側壁２０、２１の上端部位の上面２００、２１０に載置し、下側片（下側片６１０、６２０）は、側壁２０、２１の上端部位の被当接片２０１、２１１に下方から当接可能となっている。
【００５８】
上面部６の長さ方向両端部は、上面６０の長さ方向両端部が側壁２０、２１の上端部位の上面２００、２１０に載置した状態で、側壁２０、２１の長さ方向にスライド移動可能であり、かつ、下側片６１０、６２０が被当接片２０１、２１１に下方から当接することで、側壁２０、２１の上端部位に対して、上方への移動が規制された状態でスライド移動可能に装着されている。
【００５９】
上面部６の長さ寸法は、側壁２０、２１の外面間の寸法と略同じであり、側壁２０の上面２００と側壁２１の上面２１０との間の寸法よりも少し大きい寸法となっている。上面部６は、ベース２の錘収納部２´に装着された状態では、側壁２０、２１に対して直角で、側壁２２、２３に対して平行する姿勢で側壁２０、２１の上端の幅方向両端間に架け渡すように延びている（図１４）。
【００６０】
上面部６は、平面視傾斜姿勢とした状態で、長さ方向両端部を側壁２０、２１の上端部位に装着し、長さ方向両端部を側壁２０、２１の上端部位に対してスライドさせながら回動させて平面視平行姿勢とすることで、ベース２の錘収納部２´に取り付けられる（図２０参照）。この時、上面部６の第２長辺６０２の長辺６０２´が、側壁２２、２３の位置決め片２２１、２３１に当接し、第２長辺６０２の長さ方向両端側の短辺６０３が、側壁２２、２３の端縁２２２、２３２に当接することで、位置決めされる。側壁２２、２３の位置決め片２２１、２３１は、ベース２に対する宅配ボックス本体１の位置決め片でもあり、宅配ボックス本体１をベース２の四周状の側壁２０、２１、２２、２３の上端に載置した時に、宅配ボックス本体１の収納部３の底面３３に形成した挿通孔９０と上面部６の上面６０に形成した螺子孔９１とが上下に一致するようになっている。なお、第１長辺６０１の形状を第２長辺６０２の形状と同一にして対称形状としてもよい。
【００６１】
上面部６は、長さ方向両端部を側壁２０、２１の上端部位に対してスライドさせながら回動させて傾斜姿勢とすることで、ベース２の錘収納部２´から取り外し可能となっている。ベース２の錘収納部２´にコンクリートブロックＣを収納する時には、錘収納部２´から上面部６を取り外した状態（図１５〜図１７）で、上方の開口からコンクリートブロックＣを錘収納部２´内へ挿入する（図１９参照）。
【００６２】
ベース２の錘収納部２´内にコンクリートブロックＣを収納した後に、側壁２０、２１の上端の幅方向両端間に架け渡すように一対の上面部６を取り付ける（図１２〜図１４）。より具体的には、上面部６を平面視傾斜姿勢とした状態で、長さ方向両端部を側壁２０、２１の上端部位に装着し（図２０参照）、長さ方向両端部を側壁２０、２１の上端部位に対してスライドさせながら回動させて平面視平行姿勢とすることで、ベース２の錘収納部２´に取り付けられる。
【００６３】
上面部６が取り付けられたベース２の四周状の側壁の上端に、宅配ボックス本体１の四周状の下端を載置する。この時、側壁２２、２３の位置決め片２２１、２３１が、ベース２の錘収納部２´に対する上面部６の位置決め、及び、ベース２に対する宅配ボックス本体１の位置決めを兼用しており、宅配ボックス本体１の収納部３の底面３３と上面部６の上面６０が離間対向し、宅配ボックス本体１の収納部３の底面３３に形成した挿通孔９０と上面部６の上面６０に形成した螺子孔９１とが上下に一致するようになっている。螺子９によって、宅配ボックス本体１の収納部３の底面３３と上面部６の上面６０を連結することで、宅配ボックス本体１の収納部３の底面３３と上面部６の上面６０を一体化する（図２１参照）。宅配ボックス本体１の底面３３を２つの上面部６に固定することで、ベース２の錘収納部２´に対する上面部６のスライド移動が規制される。
【００６４】
図２６、図２７を参照しつつ、ベース２の他の実施形態について説明する。ベース２の錘収納部２´の構成は図１２〜図１７に示す錘収納部２´と実質的に同じであり、既述の記載を援用することができる。上面部６´の上面６０´の長さ方向両端部位は、垂下片６１´と、垂下片６１´の下端の水平片６２´と、水平片６２´から垂直状に立ち上がる立ち上がり片６３´とからなる。
【００６５】
上面部６´は弾性を備えており、弾性変形させて撓ませることで、側壁２０、２１の上端部位間に着脱可能に取り付けられる。より具体的には、上面部６´の長さ方向両端部の立ち上がり片６３´を側壁２０、２１の内面に当接させることで取り付けられる。錘収納部２´にはコンクリートブロック（図示せず）が収容されており、コンクリートブロックの上面は上面部６´に近接している。したがって、上面部６´の立ち上がり片６３´と側面２０、２１の内面の当接が維持されない場合であっても、上面部６´はコンクリートブロック上に載置され、宅配ボックス本体１をベース２に載置した時に、宅配ボックス本体１の収納部３の底面３３と上面部６´の上面６０´は近接対向し、螺子を用いて連結可能となっている。上面部６´を撓ませることに代えてあるいは加えて、上面部６´を傾斜姿勢として回動させて取り付けてもよい。
【００６６】
上述のように構成された宅配ボックスの施工手順について、図１９〜図２１を参照しつつ説明する。戸建住宅の敷地内の所定位置に錘収納部２´を設置し、錘収納部２´内に２つのコンクリートブロックＣを挿入する（図１９）。ついで、錘収納部２´の対向する側壁２０、２１の上面２００、２１０間に架け渡すように上面部６を取り付ける。より具体的には、上面部６を傾斜姿勢として、長さ方向両端部の切り欠き凹部（上側片と下側片）を側壁２０、２１の上端部位に係止させ、長さ方向両端部を側壁２０、２１の上端部位に対してスライドさせながら回動させて平面視平行姿勢とすることで、ベース２の錘収納部２´に取り付けられる（図２０）。この時、上面部６の第２長辺６０２の長辺６０２´が、側壁２２、２３の位置決め片２２１、２３１に当接し、第２長辺６０２の長さ方向両端側の短辺６０３が、側壁２２、２３の端縁２２２、２３２に当接することで、位置決めされる。側壁２２、２３の位置決め片２２１、２３１は、ベース２に対する宅配ボックス本体１の位置決め片でもあり、宅配ボックス本体１をベース２の四周状の側壁２０、２１、２２、２３の上端に載置した時に、宅配ボックス本体１の収納部３の底面３３に形成した挿通孔９０と上面部６の上面６０に形成した螺子孔９１とが上下に一致するようになっており、螺子９によって、宅配ボックス本体１の収納部３の底面３３と上面部６の上面６０を連結することで、宅配ボックス本体１の収納部３の底面３３と上面部６の上面６０を一体化する（図２１）。図１、図２に示すように、本実施形態では、正面視において、宅配ボックス本体１の幅寸法とベース２の幅寸法が同一であり、宅配ボックス本体１の収納部３の第１側面３１とベース２の側壁２０が同一垂直面を形成し、宅配ボックス本体１の収納部３の第２側面３２とベース２の側壁２１が同一垂直面を形成し、外観上均整が取れた意匠となっている。また、図３に示すように、第１扉体４の下面４４、第２扉体５の下面５４がそれぞれベースの側壁２２、２３から扉厚分突出しており、第１扉体４ないし第２扉体５が傾いた場合等に、第１扉体４ないし第２扉体の下端部位がベース２の上端部位と接触することを防止している。
【符号の説明】
【００６７】
１  宅配ボックス本体
２  ベース
２０  側壁
２００  上面
２１  側壁
２１０  上面
２２  側壁
２２０  上面
２２１  位置決め片（位置決め凸部）
２２２  端縁（位置決め凸部）
２３  側壁
２３０  上面
２３１  位置決め片（位置決め凸部）
２３２  端縁（位置決め凸部）
２´  錘収納部
３  収納部
３０  上面
３００  上側見付面
３０２  下片
３０３  立ち上がり片
３１０  戸先側見付面
３１１  側片
３２０  戸尻側見付面
３２１  側片
３３２  第２前側垂直面（下側見付面）
３１  第１側面
３２  第２側面
３３  底面
４  第１扉体
４Ａ  上方周縁部
４Ｂ  第１側方周縁部
４Ｃ  第２側方周縁部
４Ｄ  下方周縁部
４１  上面
４１０  上側面
４２  戸先側見込面
４２０  第１側面
４３  戸尻側見込面
４３０  第２側面
４４  下面
４４０  下側面（立ち上がり片）
４５  框部（縦部）
４６  框部（縦部）
５  第２扉体
６  上面部
６０２´  長辺（位置決め凹部）
６０３  短辺（位置決め凹部）
６０４  端縁（位置決め凹部）
７  水抜き孔（水抜き部）
８  排出孔
９  螺子
９０  挿通孔
９１  螺子孔
Ｃ  コンクリートブロック（錘）
【図１】
2019111248.tif 000003
【図２】
2019111248.tif 000004
【図３】
2019111248.tif 000005
【図４】
2019111248.tif 000006
【図５】
2019111248.tif 000007
【図６】
2019111248.tif 000008
【図７】
2019111248.tif 000009
【図８】
2019111248.tif 000010
【図９】
2019111248.tif 000011
【図１０】
2019111248.tif 000012
【図１１】
2019111248.tif 000013
【図１２】
2019111248.tif 000014
【図１３】
2019111248.tif 000015
【図１４】
2019111248.tif 000016
【図１５】
2019111248.tif 000017
【図１６】
2019111248.tif 000018
【図１７】
2019111248.tif 000019
【図１８】
2019111248.tif 000020
【図１９】
2019111248.tif 000021
【図２０】
2019111248.tif 000022
【図２１】
2019111248.tif 000023
【図２２】
2019111248.tif 000024
【図２３】
2019111248.tif 000025
【図２４】
2019111248.tif 000026
【図２５】
2019111248.tif 000027
【図２６】
2019111248.tif 000028
【図２７】
2019111248.tif 000029